(57)【特許請求の範囲】
【請求項１】
箱体内を上下に区画する仕切壁(2)により形成された冷蔵室の両側壁に、左右に対をなして上下に設けられた複数の支持部(3a)により、食品類を載置する載置棚(4,5)が上下位置を変更可能に支持されてなる冷蔵庫において、
前記支持部(3a)が、前記冷蔵室の両側壁に形成された前後に延びる左右に対をなす凸状のガイド(3a)からなる一方、
前記載置棚(5)が、食品類を載置する載置面(5a)と、同載置面の両側端に立設され、前記ガイド(3a)の内側を通過させて前後に出し入れ可能な側面(5b)と、同両側面の上下に連続形成され、前記ガイド(3a)を前後にスライド可能に挟持する複数の挟持片(5d)とで構成され、
前記載置面(5a)の上下位置を変更する際、左右に対をなす前記ガイド(3a)に対する前記複数の挟持片(5d)の上下位置を変更して、同ガイド(3a)をスライド可能に挟持するとともに、上下位置が変更される前記載置面(5a)の後端に、両側端が前記両側面の後端に接続される背面(5c)を立設し、
前記載置棚(5)を反転して最下位の前記挟持片(5d)を前記ガイド(3a)に係合した際、前記載置面(5a)が前記冷蔵室の天井面に近接して支持されるようにしたことを特徴とする冷蔵庫。
【発明の詳細な説明】
【０００１】
【発明の属する技術分野】
本発明は、冷蔵庫に係わり、より詳細には、冷蔵室内の上下に支持されて食品類が載置される載置棚の上下位置を、簡便な構成により、食品類の大きさに応じて適宜変更できるようにした構造に関する。
【０００２】
【従来の技術】
従来の冷蔵庫は、例えば図４（ａ）乃至図４（ｄ）で示すように、箱体１内を上下に区画する仕切壁２により形成された冷蔵室３の両側壁に、左右に対をなして上下に設けられた複数の支持部3aにより、食品類を載置する複数の載置棚４および、または載置棚５が支持されるように構成されていた。
【０００３】
しかしながら、図４（ａ）で示す第一の例においては、前記支持部3aの上下位置に対応して前記載置棚４を差し替えることにより、これら載置棚４の上下間隔を調節できる構成となっている反面、前記冷蔵室３の両側壁が前記支持部3aにより凹凸状になってしまうため、壁面形状が複雑になって掃除しずらいという問題を有していた。
【０００４】
また、図４（ｂ）で示す第二の例においては、前後に延びる凸状の前記支持部3aに対し、前記載置棚５の両側の少許下位に、前記支持部3aにスライド可能に係合する断面凹状の係合部5a' を設け、同係合部5a' の左右位置を反転することにより破線で示す位置に前記載置棚５の表面を移動できようになっているが、この場合の前記載置棚５の表面は僅かに移動できるだけとなり顕著な効果はない。
【０００５】
また、図４（ｃ）で示す第三の例においては、前記載置棚５を後方にスライドさせて前記載置棚４の前部の高さを拡げるようにした構成となっているが、同載置棚４の前部に食品類を載置すれば、その後部が視認できなくなってしまうという問題を有していた。
【０００６】
更に、図４（ｄ）で示す第四の例においては、断面略コ字状に形成された二つの前記載置棚５を左右に並べているが、隣り合う側壁が二重構造になるため左右方向のスペースが狭くなってしまうという問題を有していた。
【０００７】
【発明が解決しようとする課題】
本発明においては、上記の問題点に鑑み、冷蔵室内の上下に支持されて食品類が載置される載置棚の上下位置を、簡便な構成により、食品類の大きさに応じて適宜変更できるとともに、載置面に食品類を載置したままの状態で載置棚を引き出すことができ、また、載置棚の強度も向上した冷蔵庫を提供することを目的とする。
【０００８】
【課題を解決するための手段】
本発明は、上記課題を解決するため、箱体内を上下に区画する仕切壁により形成された冷蔵室の両側壁に、左右に対をなして上下に設けられた複数の支持部により、食品類を載置する載置棚が上下位置を変更可能に支持されてなる冷蔵庫において、
前記支持部が、前記冷蔵室の両側壁に形成された前後に延びる左右に対をなす凸状のガイドからなる一方、前記載置棚が、食品類を載置する載置面と、同載置面の両側端に立設され、前記ガイドの内側を通過させて前後に出し入れ可能な側面と、同両側面の上下に連続形成され、前記ガイドを前後にスライド可能に挟持する複数の挟持片とで構成され、
前記載置面の上下位置を変更する際、左右に対をなす前記ガイドに対する前記複数の挟持片の上下位置を変更して、同ガイドをスライド可能に挟持するとともに、上下位置が変更される前記載置面の後端に、両側端が前記両側面の後端に接続される背面を立設し、
更に、前記載置棚を反転して最下位の前記挟持片を前記ガイドに係合した際、前記載置面が前記冷蔵室の天井面に近接して支持されるようにした構成となっている。
【００１１】
【発明の実施の形態】
以下、本発明の実施の形態を、添付図面に基づいた実施例として説明する。
図１と、図２と、図３（ａ）乃至図３（ｃ）とで示すように、１は冷蔵庫の箱体、２は同箱体１内を独立した上下の部屋に区画するための仕切壁、３は同仕切壁２により区画されてその前面に開閉扉６が設けられた冷蔵室、3aは同冷蔵室３の両側壁に形成された前後に延びる左右に対をなす凸状のガイド、４は前記冷蔵室３の両側壁に図示しない支持部により支持された載置棚、５は前記冷蔵室３内に後述する複数の支持部によって支持される載置棚で、同載置棚５は食品類の大きさに応じてその上下位置を適宜変更できるようにした構成となっている。
【００１２】
前記載置棚５を支持する支持部が、前記冷蔵室３の両側壁に形成された前後に延びる左右に対をなす凸状のガイド3aからなる一方、前記載置棚５が、食品類を載置する載置面5aと、同載置面5aの両側端に立設され、前記ガイド3aの内側を通過させて前後に出し入れ可能な側面5bと、同両側面5bの上下に連続形成され、前記ガイド3aを前後にスライド可能に挟持する複数の挟持片5dとで構成され、
前記載置面5aの上下位置を変更する際、左右に対をなす前記ガイド3aに対する前記複数の挟持片5dの上下位置を変更して、同ガイド3aをスライド可能に挟持するようにした構成となっており、
これによって、前記載置面5aを所定の上下位置に容易に変更できるようになり、同載置面5aと前記載置棚４との間隔を、これらの間に載置される食品類の大きさに応じて適宜変更できるようにして使い勝手を大幅に向上できるようにした構造となる。
【００１３】
また、図２で示すように、上下位置が変更される前記載置面5aの後端に、両側端が前記両側面5bの後端に接続される背面5cを立設したことにより、例えば前記載置面5aの上下位置を変更するために、同載置面5aに食品類を載置したままの状態で前記載置棚５を引き出した際、同載置面5aの後部からこの食品類が落下してしまわないように防止できるようになり、また、前記載置棚５の強度を向上できるようにした構成となっている。
【００１４】
または、前記載置面5aの上下位置を変更する際、左右に対をなす前記ガイド3aに対する前記複数の挟持片5dの左右位置を反転して、同ガイド3aをスライド可能に挟持するようにした構成となっており、これによって、前記載置面5aの上下位置をより大きく変更できるようになり、同載置面5aと前記載置棚４との間隔を、これらの間に載置される食品類の大きさに応じて更に大きく変更できるようにした構造となる。
【００１５】
また、左右に対をなす前記ガイド3aが、図３（ａ）で示すように、前記複数の挟持片5dに対応して前記冷蔵室３の両側壁の上下に複数形成された構成となっており、これによって、前記複数の挟持片5dにより挟持される前記ガイド3aの上下位置を変更できるようになって、前記載置面5aの上下位置を更に広範囲に変更できるようにした構造となる。
【００１６】
更に、図３（Ｃ）で示すように、前記載置棚５を反転して最下位の前記挟持片5dを前記ガイド3aに係合した際、前記載置面5aが前記冷蔵室３の天井面に近接して支持されるようにしたことにより、前記載置棚５を使用しない場合、前記冷蔵室３から庫外に取り出して他の場所に保管するなどの煩わしさが生じないように、同載置棚５を、同冷蔵室３の上部に収容しておけるようにした構成となっている。
【００１７】
以上の構成により、図１と、図２と、図３（ａ）乃至図３（ｃ）とで示すように、前記載置棚５を支持する支持部が、前記冷蔵室３の両側壁に形成された前後に延びる左右に対をなす凸状のガイド3aからなる一方、前記載置棚５が、食品類を載置する載置面5aと、同載置面5aの両側端に立設され、前記ガイド3aの内側を通過させて前後に出し入れ可能な側面5bと、同両側面5bの上下に連続形成され、前記ガイド3aを前後にスライド可能に挟持する複数の挟持片5dとで構成され、前記載置面5aの上下位置を変更する際、左右に対をなす前記ガイド3aに対する前記複数の挟持片5dの上下位置を変更して、同ガイド3aをスライド可能に挟持するようにしたので、前記載置面5aを所定の上下位置に容易に変更できるようになり、同載置面5aと前記載置棚４との間隔を、これらの間に載置される食品類の大きさに応じて適宜変更できるようにして使い勝手を大幅に向上できるようにした冷蔵庫となる。
更に、上下位置が変更される前記載置面5aの後端に、両側端が前記両側面5bの後端に接続される背面5cを立設したことにより、例えば前記載置面5aの上下位置を変更するために、同載置面5aに食品類を載置したままの状態で前記載置棚５を引き出した際、同載置面5aの後部からこの食品類が落下してしまわないように防止できるようになり、また、前記載置棚５の強度を向上できる。
【００１８】
【発明の効果】
以上のように本発明によると、冷蔵室内の上下に支持されて食品類が載置される載置棚の上下位置を、簡便な構成により、食品類の大きさに応じて適宜変更できるとともに、載置面に食品類を載置したままの状態で載置棚を引き出すことができ、また、載置棚の強度も向上した冷蔵庫となる。
【図面の簡単な説明】
【図１】  本発明による冷蔵庫の正面図である。
【図２】  本発明による冷蔵庫の載置棚の斜視図である。
【図３】  本発明による冷蔵庫の要部説明図で、（ａ）は冷蔵室上段の載置棚を中位に支持した状態を示し、（ｂ）は下位に支持した状態を示し、（ｃ）は冷蔵室上部に収容した状態を示す。
【図４】  従来例による冷蔵庫の要部説明図で、（ａ）は第一の例を示し、（ｂ）は第二の例を示し、（ｃ）は第三の例を示し、（ｄ）は第四の例を示す。
【符号の説明】
１  冷蔵庫の箱体
２  仕切壁
３  冷蔵室
3a  ガイド（支持部）
４，５  載置棚
5a  載置面
5b  両側面
5c  背面
5d  挟持片
６  開閉扉
【図１】
0004259658.tif 000002
【図２】
0004259658.tif 000003
【図３】
0004259658.tif 000004
【図４】
0004259658.tif 000005